(57)【要約】【課題】無駄な添加湿分をなくし、省エネルギー効果がある、高炉内への一定湿分を有する送風を行う高炉送風湿分制御方法および装置を提供することを目的とする。【解決手段】高炉内への一定湿分を有する送風を行う高炉送風湿分制御方法において、送風配管途中に設けたドレンポットからのドレン排出量に基づいて、当該送風配管内への吹込み湿分添加量を補正する。【選択図】図１
2007197805.tif 000002
【特許請求の範囲】
【請求項１】
高炉内への一定湿分を有する送風を行う高炉送風湿分制御方法において、
送風配管途中に設けたドレンポットからのドレン排出量に基づいて、当該送風配管内への吹込み湿分添加量を補正することを特徴とする高炉送風湿分制御方法。
【請求項２】
請求項１に記載の高炉送風湿分制御方法において、
前記ドレン排出量は、
前記ドレンポットの容量毎の排出頻度を積算して求めることを特徴とする高炉送風湿分制御方法。
【請求項３】
高炉への送風配管途中に設けた湿分添加装置と該湿分添加装置への添加湿分量を演算する演算装置とを備えた高炉送風湿分制御装置において、
前記湿分添加装置の入側に、送風流量測定手段である流量計、送風の湿分添加前温度測定手段である温度計、および送風の湿分添加前湿分測定手段である湿度計を備え、
前記湿分添加装置の出側に、送風の湿分添加後温度測定手段である温度計を備え、
さらに、前記送風配管内から排出されるドレン排出量測定手段を備えた、ドレンを排出する機構を有するドレンポットを備え、
前記演算装置は、前記各測定手段からの測定値に基づき、前記送風配管内への吹込み湿分添加量を補正することを特徴とする高炉送風湿分制御装置。
【発明の詳細な説明】
【技術分野】
【０００１】
本発明は、高炉内への一定湿分を有する送風を行う高炉送風湿分制御方法および装置に関するものである。
【背景技術】
【０００２】
石炭を乾留したコークスと鉄鉱石を焼成した焼結鉱から還元反応を利用し銑鉄を生成する高炉において、炉内送風技術のひとつとして調湿送風を行っている。この調湿送風では、熱風炉を介して炉内へ送風される前に、炉況不調の要因を取除くとともに鉱石の還元を助長する湿分(純水および蒸気)を制御し、一定湿分での送風を行っている。
【０００３】
従来の高炉送風湿分制御方法には、例えば、特許文献１に開示された技術がある。この技術は、高炉に対する送風圧力を一定にするため送風系の構成に含まれる熱風炉切替時の充圧実施に伴う送風流量の周期的な変動による送風湿分の変動を考慮した送風湿分制御方法である。
【０００４】
具体的には、送風本管,脱湿機,ブロア,蒸気管,湿分センサ(湿分添加前),流量センサ,湿分センサ(湿分添加後),蒸気流量調整弁および熱風炉で構成される高炉の送風系において、蒸気管で注入する湿分量の目標値を、（湿分添加後湿分目標値−湿分添加前湿分検出値）×送風流量に比例するように決定することで、充圧の実施に伴って送風量が変化しても、湿分添加後の空気の湿分が変化する前に蒸気管で注入する湿分量の目標値が自動的に修正され、空気に添加する湿分量がすばやく変更されるため、湿分添加後の空気の湿分を湿分添加後の湿分目標値に維持することができるというものである。
【０００５】
また、特許文献２には、熱風炉入側の冷風管内を流れる冷風の湿度を制御し、省エネルギーを達成する方法が開示されている。これは、冷風の流量,湿分添加前湿度,湿分添加後湿度から目標湿分添加量を算出し、冷風の流量,湿分添加前温度,湿分添加後温度から湿分蒸発量を算出し、次いで算出した目標湿分添加量と湿分蒸発量とを比較して小さい方の値を冷風に添加するように制御するものである。
【特許文献１】特開平６−２６４１２１号公報
【特許文献２】特開２００２−１８０１１７号公報
【発明の開示】
【発明が解決しようとする課題】
【０００６】
しかしながら、特許文献１または特許文献２に記載の技術では、湿分添加前後の湿分値,温度および流量から算出した目標湿分量を添加しても,実際の送風配管ルートおよび外気の状態により配管内の飽和蒸気量と実際算出した目標湿分量の関係が変化してしまうため、添加した湿分が配管途中でドレン化してしまうケースがあり、湿分添加に無駄が生じるという問題がある。
【０００７】
本発明は上記事情に鑑みてなされたもので、無駄な添加湿分をなくし、省エネルギー効果がある、高炉内への一定湿分を有する送風を行う高炉送風湿分制御方法および装置を提供することを目的とする。
【課題を解決するための手段】
【０００８】
本発明の請求項１に係る発明は、高炉内への一定湿分を有する送風を行う高炉送風湿分制御方法において、送風配管途中に設けたドレンポットからのドレン排出量に基づいて、当該送風配管内への吹込み湿分添加量を補正することを特徴とする高炉送風湿分制御方法である。
【０００９】
また本発明の請求項２に係る発明は、請求項１に記載の高炉送風湿分制御方法において、
前記ドレン排出量は、前記ドレンポットの容量毎の排出頻度を積算して求めることを特徴とする高炉送風湿分制御方法である。
【００１０】
さらに本発明の請求項３に係る発明は、高炉への送風配管途中に設けた湿分添加装置と該湿分添加装置への添加湿分量を演算する演算装置とを備えた高炉送風湿分制御装置において、前記湿分添加装置の入側に、送風流量測定手段である流量計、送風の湿分添加前温度測定手段である温度計、および送風の湿分添加前湿分測定手段である湿度計を備え、前記湿分添加装置の出側に、送風の湿分添加後温度測定手段である温度計を備え、さらに、前記送風配管内から排出されるドレン排出量測定手段を備えた、ドレンを排出する機構を有するドレンポットを備え、前記演算装置は、前記各測定手段からの測定値に基づき、前記送風配管内への吹込み湿分添加量を補正することを特徴とする高炉送風湿分制御装置である。
【発明の効果】
【００１１】
本発明は、送風配管途中にドレンポットを設置し、各ドレンポットにその任意なドレンの量を検知するセンサを取付け、このドレン排出量に基づいて、当該送風配管内への吹込み湿分添加量を補正するようにしたので、無駄な添加湿分をなくし、省エネルギー効果がある高炉送風湿分制御が達成できる。
【発明を実施するための最良の形態】
【００１２】
本発明を実施するための最良の形態について、以下に図および式を参照して説明を行う。図１は、高炉内に一定の湿分を吹込むために必要な送風系の構成例を示す図である。図中、１は冷風管を、２は調節弁を、３は湿度計を、４は温度計(入側の冷風管に配設)を、５は流量計を、６は温度計(出側の冷風管に配設) を、７はドレンポットを、８はタンクを、９は湿分(蒸気および純水) を、１０は演算装置、および１１はポンプをそれぞれ表す。この例では、熱風炉の入側の冷風管内に配設された調湿装置を用いて冷風管内内を流れる冷風の湿度を制御する湿度制御を行う構成となっている。
【００１３】
送風湿分制御を行う演算装置１０の入側の冷風管１に配設された流量計５、温度計４、およびの湿度計３を用いて、冷風の湿分添加前温度および湿分添加前湿度を測定し、演算装置の出側の冷風管に配設された温度計６を用いて冷風の湿分添加後温度を測定し、流量の測定値、湿分添加前温度の測定値、湿分添加前の湿度の測定値および湿分添加後の温度の測定値を演算装置１０に伝送する。
【００１４】
この伝送された流量の測定値、および湿分添加前湿分の測定値を入力信号として、オペレータによって決定される湿分添加後の湿分目標値と湿分添加前の湿分測定値の差分に、冷風の流量測定値を乗じて添加する湿分の吹込み目標量を、以下の（１）式により決定する。
【００１５】
【数１】
2007197805.tif 000003
【００１６】
さらに、演算装置１０に伝送された流量の測定値、湿分添加前温度の測定値および湿分添加後温度の測定値を入力信号として、湿分蒸発量を、以下の（２）式により算出する。
【００１７】
【数２】
2007197805.tif 000004
【００１８】
次に、目標湿分添加量と湿分蒸発量とを比較して小さい方の値を選択する。しかしながら、演算装置１０により算出された値では、添加した湿分が実際の配管ルートや外気の状態によって配管内でドレンとなることがある。このため、ドレンがある一定量に達するとそのドレンを抜くような機構を有したドレンポット７を配設し、そのドレンを抜いた回数を積算し、排出頻度を実際の湿分吹込み量の補正量を算出する。この算出にあたっては、例えば以下の（３）式により算出するようにするとよい。なお、ドレン排出総量は演算するのでなく測定してもよく、流量計を設けるようにしてもよい。
【００１９】
【数３】
2007197805.tif 000005
【００２０】
したがって、目標湿分添加量と湿分蒸発量とを比較して選択された値と補正量として算出された値との差分を実際の吹込み量とする。
【００２１】
ここで求めた吹込み量を実現する湿分添加装置としては、タンク８の湿分(蒸気および純水)９をポンプ１１によって汲みあげ、湿分吹込み量に応じた調節弁開度信号を熱風炉入り側の冷風管１に配設されている調節弁２に与えて、吹込み量の制御を行うという構成をとる。
【００２２】
以上説明したように本発明では、送風配管途中にドレンポットを設置し、各ドレンポットにその任意なドレンの量を検知するセンサを取付け、このドレン排出量に基づいて、当該送風配管内への吹込み湿分添加量を補正するようにしたので、無駄な添加湿分をなくし、省エネルギー効果がある高炉送風湿分制御が達成できる。
【図面の簡単な説明】
【００２３】
【図１】高炉内に一定の湿分を吹込むために必要な送風系の構成例を示す図である。
【符号の説明】
【００２４】
１            冷風管
２            調節弁
３            湿度計
４            温度計(入側の冷風管に配設)
５            流量計
６            温度計(出側の冷風管に配設)
７            ドレンポット
８            タンク
９            湿分(蒸気および純水)
１０          演算装置
１１          ポンプ
【図１】
2007197805.tif 000006